(57)【要約】【課題】ランプからの妨害光の影響を受けることなく、照明器具本体の設計の自由度を高めることができ、しかも受光部がクローブから透けて見えてしまうことのない照明器具を提供する。【解決手段】器具筐体１１の下面に設けた環状の放電灯１３,１４と、この放電灯１３,１４の輪の内側に配置され且つランプの点灯や消灯を行うリモート信号を受光する受光手段と、放電灯１３,１４や受光部を覆ったグローブ１５とを備え、前記受光手段は、受光窓を介して前記リモート信号を受光する受光部を有する照明器具において、一側面を開口し、他側面側を半ドーム状に形成した遮光壁２２で前記受光部を覆い、前記開口を介してリモート信号を受光するようにした。【選択図】図１
2008171689.tif 000002
【特許請求の範囲】
【請求項１】
本体の下面に設けた環状のランプと、このランプの輪の内側に配置され且つランプの点灯や消灯を行うリモート信号を受光する受光手段と、前記ランプや受光部を覆ったグローブとを備え、前記受光手段は、受光窓を介して前記リモート信号を受光する受光部を有する照明器具において、
一側面を開口し、他側面側を半ドーム状に形成した遮光壁で前記受光部を覆い、前記開口を介してリモート信号を受光するようにしたことを特徴とする照明器具。
【請求項２】
前記開口の上部を遮光板で覆ったことを特徴とする照明器具。
【発明の詳細な説明】
【技術分野】
【０００１】
この発明は、リモート信号によってランプの点灯や消灯を行うようになっている照明器具に関する。
【背景技術】
【０００２】
従来から、環状のランプをリモート信号によって点灯や消灯を行う照明器具が知られている（特許文献１参照）。
【０００３】
かかる照明器具は、本体の下面に設けた環状のランプと、このランプのリング内に配置された受光部等とを備えている。受光部は下向きにして窓孔内に設けられている。
【０００４】
そして、受光部がリモート信号を受光すると点灯回路がそのリモート信号に基づいてランプを点灯させたり消灯させたりするようになっている。
【特許文献１】特開２００２−２３１０４６号公報
【発明の開示】
【発明が解決しようとする課題】
【０００５】
ところで、このような照明器具にあっては、窓孔の位置がランプの高さ位置とほぼ同位置に設けられており、このため、ランプからの妨害光の影響を受けやすいという問題がある。この問題を解消するために、窓孔の位置をランプの高さ位置より低くすればよいが、照明器具を薄型にできなくなり、器具本体の設計の自由度が制限されてしまう。さらに、受光部を窓孔の近傍に設けるため、窓孔の位置をランプの高さ位置より低くすると、受光部がグローブに近接する状態となって受光部がグローブから透けて見えてしまう等の問題がある。
【０００６】
この発明の目的は、ランプからの妨害光の影響を受けることなく、照明器具本体の設計の自由度を高めることができ、しかも受光部がグローブから透けて見えてしまうことのない照明器具を提供することにある。
【課題を解決するための手段】
【０００７】
請求項１の発明は、本体の下面に設けた環状のランプと、このランプの輪の内側に配置され且つランプの点灯や消灯を行うリモート信号を受光する受光手段と、前記ランプや受光部を覆ったグローブとを備え、前記受光手段は、受光窓を介して前記リモート信号を受光する受光部を有する照明器具において、
一側面を開口し、他側面側を半ドーム状に形成した遮光壁で前記受光部を覆い、前記開口を介してリモート信号を受光するようにしたことを特徴とする。
【発明の効果】
【０００８】
この発明によれば、ランプからの妨害光の影響を受けることなく、照明器具の設計の自由度を高めることができ、しかも受光部がグローブから透けて見えてしまうことがない。
【発明を実施するための最良の形態】
【０００９】
以下、この発明に係る照明器具の実施の形態である一実施例を図面に基づいて説明する。
【実施例】
【００１０】
図１に示す照明器具１０は、図示しない点灯装置などを内蔵した器具筐体（本体）１１と、この器具筐体１１を天井に引っ掛ける引っ掛けシーリング１２と、器具筐体１１に取り付けられた環状の放電灯（ランプ）１３,１４と、この放電灯１３,１４を覆うとともに器具筐体１１に取り付けられたグローブ１５と、器具筐体１１に装着された受光部ケース２０等とを備えており、受光部ケース２０は器具筐体１１の左側（図１において）であって放電灯１３,１４のリング内の位置であって放電灯１３,１４の位置より高い位置に装着されている。
【００１１】
受光部ケース２０は、図２および図３に示すように、受光素子（受光手段）３０（図４参照）を内蔵した筐体ケース２１と、この筐体ケース２１の下面２１Ａ（図２において上面）に取り付けられた遮光壁２２,２３とを有している。
【００１２】
受光素子３０は、図示しないリモートコントロール装置からの赤外光信号（リモート信号）を受光する受光部３０Ａを有しており、この受光部３０Ａがその赤外光信号を受光すると点灯装置は受光した赤外光信号に基づいて放電灯１３,１４を点灯させたり消灯させたりするようになっている。
【００１３】
また、筐体ケース２１の下面２１Ａには、赤外光信号のチャンネルを切り換えるチャンネルスイッチＳ１と、ブザースイッチＳ２とが設けられている。ブザースイッチＳ２は、受光素子３０が赤外光信号を受光した際にブザーを鳴らか否かを選択するスイッチであり、例えばブザースイッチＳ２がオンしている場合には、受光素子３０が赤外光信号を受光するごとに図示しないブザーを鳴らして赤外光信号を受光したことを報知する。
【００１４】
筐体ケース２１の下面２１Ａは、図１に示すように放電灯１３,１４の高さ位置より高い位置に設定されており、この下面２１Ａには図４および図５に示すように半円形状の受光窓２４が形成されている。そして、この受光窓２４は遮光壁２２によって覆われている。すなわち、遮光壁２２は受光素子３０の受光部３０Ａを覆っている。
【００１５】
遮光壁２２は、一側面である右側面（図４において）が開口され、他側面側である左側面側が半ドーム状に形成されている。
【００１６】
そして、遮光壁２２の開口２２Ａの上部には、受光窓２４の直線状の縁部２４ａに沿って遮光壁（遮光板）２３が取り付けられている。遮光壁２３の高さは開口２２Ａの高さのほぼ半分に設定されている。
［作  用］
次に、上記のように構成される照明器具１０の作用について説明する。
【００１７】
放電灯１３,１４が点灯されると、この放電灯１３,１４から妨害光が発生する。特に、低温動作時にはリモコン信号搬送波（赤外光）の周波数帯域の妨害光が増加する。
【００１８】
また、筐体ケース２１は筐体ケース２１の左側（図１において）に設けられていることにより、放電灯１３,１４の左側部から発生する妨害光Ｐ１（図４参照）の影響を強く受けることになるが、図４に示すように受光窓２４の左側には半ドーム状の遮光壁２２が設けられているため、低温動作時であっても妨害光Ｐ１の影響を防止することができる。
【００１９】
さらに、遮光壁２２の開口２２Ａは放電灯１３,１４の右側部分に対向することになるが、開口２２Ａの上部に遮光壁２４が設けられていることにより、放電灯１３,１４の右側部分から発生する妨害光Ｐ２の影響を防止することができる。
【００２０】
このため、リモートコントロール装置（図示せず）からの赤外光信号の受信感度が低下してしまうことを防止することができる。
【００２１】
また、リモートコントロール装置（図示せず）から発光された赤外光信号が遮光壁２２の開口２２Ａに入ると、遮光壁２２の内壁面で反射されて受光素子３０の受光面３０Ａに達するが、遮光壁２２がドーム状に形成されていることにより、その反射赤外光は受光素子３０の受光面３０Ａに集光させることができ、このため、照明器具１０の受信感度を高めることができ、リモートコントロール装置による安定したリモコン動作を実現することができる。
【００２２】
さらに、筐体ケース２１の下面２１Ａの受光窓２４に遮光壁２２,２３を設けただけであるから、その構成は至って簡単であり、安価な照明器具１０を提供することができる。また、遮光壁２２を半ドーム状に形成し、遮光壁２２の開口２２Ａに遮光壁２３を設けたものであるから、筐体ケース２１を任意の位置に設けても、遮光壁２２,２３によって放電灯１３,１４からの妨害光を確実に遮光することができる。
【００２３】
すなわち、受光素子３０を任意の位置に配置することができ、このため照明器具１０の設計の自由度が高まる。
【００２４】
また、受光窓２４が遮光壁２２により覆われていることにより、受光窓２４の位置を放電灯１３,１４より高い位置に配置することができる。このため、筐体ケース２１をグローブ１５の近傍に設ける必要がなくなり、筐体ケース２１が透けて見えてしまうことがない。さらに、照明器具１０を薄くすることができる。
【図面の簡単な説明】
【００２５】
【図１】この発明に係る照明器具の構成を概略的に示した断面図である。
【図２】筐体ケースを示した斜視図である。
【図３】図２の筐体ケースの平面図である。
【図４】図２に示す筐体ケースの部分拡大断面図である。
【図５】筐体ケースの受光窓と受光素子との位置関係を示した説明図である。
【符号の説明】
【００２６】
１０        照明器具
１１        器具筐体（本体）
１３,１４   放電灯
１５        グローブ
２２        遮光壁
２２Ａ      開口
２４        受光窓
３０        受光素子（受光手段）
３０Ａ      受光部
【図１】
2008171689.tif 000003
【図２】
2008171689.tif 000004
【図３】
2008171689.tif 000005
【図４】
2008171689.tif 000006
【図５】
2008171689.tif 000007